(57)【要約】【課題】被照射面の明るさを均一にできる反射装置を提供する。【解決手段】反射装置22は、第１の反射体33および第２の反射体34を備える。第１の反射体33は、発光素子30の光軸ｚを中心として一側に配置される放物反射面35を有する。第２の反射体34は、発光素子30の光軸ｚを中心として他側に配置される拡散反射面37を有し、第１の反射体33よりも光軸方向の突出高さが高い。【選択図】図１
2020161245.tif 000002
【特許請求の範囲】
【請求項１】
発光素子の光軸を中心として一側に配置される放物反射面を有する第１の反射体と；
前記発光素子の光軸を中心として他側に配置される拡散反射面を有し、前記第１の反射体よりも光軸方向の突出高さが高い第２の反射体と；
を具備することを特徴とする反射装置。
【請求項２】
前記第２の反射体は、光軸方向の先端側に前記拡散反射面を有し、前記拡散反射面よりも光軸方向に対して反対側に正反射特性を有する正反射面を有する
ことを特徴とする請求項１記載の反射装置。
【請求項３】
光照射方向に向けて光軸が傾斜される発光素子と；
前記放物反射面が前記発光素子の光軸を中心として前記光照射方向の一側に配置され、前記拡散反射面が前記発光素子の光軸を中心として前記光照射方向と反対の他側に配置されている請求項１または２記載の反射装置と；
を具備することを特徴とする照明装置。
【請求項４】
前記光照射方向に向けて、前記第１の反射体よりも光軸方向には前記発光素子の直接光および前記放物反射面で反射する反射光が出射され、前記第１の反射体よりも前記光照射方向には前記拡散反射面で反射する拡散反射光が出射される
ことを特徴とする請求項３記載の照明装置。
【発明の詳細な説明】
【技術分野】
【０００１】
本発明の実施形態は、配光を制御する反射装置、およびこの反射装置を用いた照明装置に関する。
【背景技術】
【０００２】
従来、テレビスタジオやステージなどの背景である壁面を照明するホリゾントライトなどの照明装置がある。
【０００３】
この照明装置は、被照射面である壁面に対して床側や天井側に設置され、壁面を均一な明るさで照明するために床側から上方へ、または天井側から下方へ光が伸びるように配光制御が行われている。
【０００４】
このように、壁面が均一な明るさとなるように配光制御が行われているが、照明装置の設置位置に近い領域が明るく、離れた領域が暗くなるなど、壁面の明るさにむらが生じやすいため、壁面の明るさを均一にできることが望まれている。
【先行技術文献】
【特許文献】
【０００５】
【特許文献１】特開２０１５−２１５７号公報
【発明の概要】
【発明が解決しようとする課題】
【０００６】
本発明は、被照射面の明るさを均一にできる反射装置および照明装置を提供することである。
【課題を解決するための手段】
【０００７】
実施形態の反射装置は、第１の反射体および第２の反射体を備える。第１の反射体は、発光素子の光軸を中心として一側に配置される放物反射面を有する。第２の反射体は、発光素子の光軸を中心として他側に配置される拡散反射面を有し、第１の反射体よりも光軸方向の突出高さが高い。
【発明の効果】
【０００８】
実施形態の反射装置によれば、被照射面の明るさを均一にすることが期待できる。
【図面の簡単な説明】
【０００９】
【図１】第１の実施形態を示す反射装置の断面図である。
【図２】同上反射装置の斜視図である。
【図３】同上反射装置の第１の反射体の斜視図である。
【図４】同上反射装置を用いた照明装置の側面図である。
【図５】同上照明装置の使用状態の概略図である。
【図６】第２の実施形態を示す反射装置の第１の反射体の構成を説明する模式図である。
【図７】第３の実施形態を示す反射装置の断面図である。
【図８】第４の実施形態を示す反射装置の断面図である。
【発明を実施するための形態】
【００１０】
以下、第１の実施形態を、図１ないし図５を参照して説明する。
【００１１】
図５に示すように、例えばテレビスタジオやステージなどでは、背景としての被照射面である壁面（ホリゾント面）10を照明するためのホリゾントライトである照明装置11が設置される。照明装置11には、床面側で壁面10に沿って設置されるロアーホリゾントライトである照明装置11a、および天井側で壁面10に沿ってバトンなどに吊り下げ設置されるアッパーホリゾントライトである照明装置11bなどが含まれる。
【００１２】
図４には、ロアーホリゾントライトである照明装置11aを示す。この照明装置11a（以下、照明装置11）は、光源部15、この光源部15に電源を供給する電源部16、およびこの電源部16に対して光源部15を角度調整可能に支持する支持部17を備えている。光源部15は、光を出射する面が壁面10に対して斜め上方へ向けて対向するように、所定角度上向きとした傾斜姿勢に設置される。そして、照明装置11は、壁面10の方向を光照射方向Ａとしている。
【００１３】
光源部15は、筐体20、この筐体20内に収容された発光モジュール21および反射装置22を備えている。
【００１４】
筐体20は、一面である上面が開口されたケース25、およびこのケース25の開口を覆って配置された透光部材26を備えている。ケース25は、壁面10に沿った幅方向に横長に形成され、上面（筐体20の開口）が壁面10の方向である光照射方向Ａに向けて下降傾斜されている。透光部材26は、光を透過する透明な例えばガラス板や樹脂板によって構成されている。なお、筐体20の開口は光照射方向Ａに向けて傾斜さているが、角度調節可能な支持部17を設けているので、筐体20の開口が筐体20の底板と平行で傾斜していない構造でも構わない。
【００１５】
また、図１に示すように、発光モジュール21は、基板29、この基板29に実装された発光素子30を備えている。基板29は、筐体20の幅方向に沿って横長に形成され、一面に複数の発光素子30が所定の間隔をあけて実装されている。発光素子30は、ＬＥＤや有機ＥＬなどの半導体発光素子である。発光素子30は、例えば赤、緑、青、白、さらにシアンなどを含めた多色の発光色の素子が用いられている。基板29はケース25に熱的に接続され、発光素子30が発生する熱がケース25を通じて空気中に放熱される。そして、発光素子30の発光面の中心から垂直に伸びる光軸ｚは、鉛直方向に対して、光照射方向Ａに向けて傾斜されている。
【００１６】
また、図１ないし図３に示すように、反射装置22は、発光素子30の光軸ｚを中心として光照射方向Ａの一側に配置される第１の反射体33と、発光素子30の光軸ｚを中心として光照射方向Ａと反対の他側に配置される第２の反射体34とを有している。第１の反射体33と第２の反射体34とは離反されている。
【００１７】
第１の反射体33は、各発光素子30毎に個別に設けられた複数の集光反射面である放物反射面35を有している。複数の放物反射面35が第１の反射体33の幅方向に沿って一体に並設されている。各放物反射面35は、正反射特性を有する鏡面に形成されている。各放物反射面35は、発光素子30の光軸ｚ上で発光素子30の発光面あるいは発光面の前後近傍を焦点とする放物面であって、発光素子30の光軸ｚを中心とする回転放物面の略半分とする立体形状に形成されている。隣り合う放物反射面35の先端側の稜線部分の一部が切り欠かれ、隣り合う放物反射面35の先端側が互いに連通されている。
【００１８】
第２の反射体34は、複数の発光素子30に対向する側面に設けられた反射面36を有している。反射面36は第２の反射体34の幅方向に連続して一体に形成されている。第２の反射体34の先端側は、第１の反射体33よりも光軸方向の突出高さが高く設けられている。すなわち、第２の反射体34の先端側は、第１の反射体33の先端側からの水平方向ｈの位置よりも、光軸方向に突出されている。
【００１９】
第２の反射体34の反射面36の少なくとも光軸方向の先端側には、光を拡散反射する拡散反射面37が設けられている。拡散反射面37は、例えばシボ加工が施されている。さらに、第２の反射体34の反射面36には、拡散反射面37よりも光軸方向に対して反対側に正反射特性を有する鏡面の正反射面38が設けられている。正反射面38は、発光素子30の発光面を焦点とする放物面の形状でもよい。そして、これら拡散反射面37と正反射面38との境界線ｂは、例えば、第１の反射体33の先端側からの水平方向ｈの位置とされるが、水平方向ｈの位置よりも光軸方向または光軸方向に対して反対方向に位置されていてもよい。なお、第２の反射体34は、反射面36に正反射面38を備えていることが好ましいが、反射面36の全体が拡散反射面37であってもよい。
【００２０】
なお、発光素子30および反射装置22は、光照射方向Ａに複数列配置されていてもよい。
【００２１】
また、電源部16は、交流電源などの外部電源を直流電源などの所定の点灯電源に変換し、発光モジュール21に供給する。
【００２２】
そして、照明装置11の発光素子30が発光することにより、発光素子30から光軸方向に向かう光が透光部材26を透過して直接光として光照射方向Ａに出射され、発光素子30から第１の反射体33に向かう光が放物反射面35で反射して反射光として透光部材26を透過して光照射方向Ａに出射され、発光素子30から第２の反射体34に向かう光が反射面36で反射して透光部材26を透過して光照射方向Ａに出射される。
【００２３】
第１の反射体33の放物反射面35で反射する光L1は、集光され、光軸方向と平行な方向に多く反射される。そのため、第１の反射体33の放物反射面35で反射する光L1は、壁面10における照明装置11の設置高さよりも遠く離れた高さ領域に照射され、その領域での明るさが確保される。
【００２４】
第２の反射体34の反射面のうち、正反射面38で反射する光L2は光軸方向と平行な方向に反射され、拡散反射面37で反射される光は拡散される。
【００２５】
第２の反射体34の正反射面38で反射される光L2は、光軸方向と平行な方向にも多く反射される。そのため、第２の反射体34の正反射面38で反射される光L2は、壁面10における照明装置11の設置高さよりも離れた高さ領域に照射され、その領域での明るさがより確保される。
【００２６】
第２の反射体34の拡散反射面37で拡散反射される光のうちの一部の光L3は、第１の反射体33の先端部外側を通過して透光部材26から光照射方向Ａに出射される。この一部の光L3は、第１の反射体33の先端側からの水平方向ｈの位置よりも下方であって、第１の反射体33の放物反射面35に対して反対側へ出射される。そのため、第２の反射体34の拡散反射面37で拡散反射される拡散光は、壁面10における照明装置11の設置高さに近い高さ領域に照射され、その領域での明るさが確保される。
【００２７】
したがって、照明装置11は、光照射方向Ａに向けて、第１の反射体33よりも光照射方向Ａには発光素子30の直接光と放物反射面35および正反射面38で反射する反射光が多く出射され、第１の反射体33よりも光照射方向Ａには拡散反射面37で反射する拡散反射光が出射される。そのため、壁面10は、広い領域で明るさが均一になる。
【００２８】
このように構成された本実施形態の反射装置22は、発光素子30の光軸ｚを中心として一側に配置された放物反射面35を有する第１の反射体33と、発光素子30の光軸ｚを中心として他側に配置された拡散反射面37を有し、第１の反射体33よりも光軸方向の突出高さが高い第２の反射体34とを組み合わせて構成することにより、被照射面の明るさを均一にできる。
【００２９】
さらに、第２の反射体34は、光軸方向の先端側に拡散反射面37を有し、拡散反射面37よりも光軸方向に対して反対側に正反射特性を有する正反射面38を有するため、光取出効率が高くなって壁面10に照射される光が増加し、被照射面の明るさを向上できる。
【００３０】
そして、反射装置22を用いる照明装置11では、放物反射面35が発光素子30の光軸ｚを中心として光照射方向Ａの一側に配置され、拡散反射面37が発光素子30の光軸ｚを中心として光照射方向Ａと反対の他側に配置されているため、光照射方向Ａの被照射面である壁面10の明るさを均一にできる。
【００３１】
さらに、光照射方向Ａに向けて、第１の反射体33よりも光軸方向には発光素子30の直接光および放物反射面35で反射する反射光が出射され、第１の反射体33よりも光照射方向Ａには拡散反射面37で反射する拡散反射光が出射されるため、光照射方向Ａの被照射面である壁面10の明るさを均一にできる。
【００３２】
次に、図６に第２の実施形態を示す。図６は第１の反射体33の模式図を示し、他の構成は省略している。
【００３３】
第１の反射体33の複数の放物反射面35は、第１の反射体33の幅方向に直線状に配置する場合よりも、第１の反射体33の幅方向に湾曲状に配置することにより、第１の反射体33の幅がｗ寸法分小さくなる。そのため、同じ幅寸法内で配置できる放物反射面35の数を増加させ、明るさを向上できる。あるいは、第１の反射体33の幅方向の寸法を小さくし、照明装置11の幅方向の寸法を小さくできる。
【００３４】
次に、図７に第３の実施形態を示す。
【００３５】
反射装置22の第１の反射体33と第２の反射体34を一組として、複数組を光照射方向Ａに複数列に配置される。この場合、隣り合う組の第１の反射体33の先端側と第２の反射体34の先端側とを一致するように配置される。なお、図７には２列の反射装置22を示すが、３列以上の反射装置22でもよい。
【００３６】
次に、図８に第４の実施形態を示す。
【００３７】
第１の反射体33の放物反射面35とは反対側で光照射方向Ａに対向する面に外側反射面41が形成され、この外側反射面41に光を照射する第２の発光素子42が用いられている。外側反射面41は、拡散反射面でも、正反射特性を有する鏡面でもよい。
【００３８】
そして、第１の反射体33の両面を反射に利用でき、大形化したり構造が複雑になることなく、明るさを向上できる。
【００３９】
なお、アッパーホリゾントライトである照明装置11bについても、上述した照明装置11aと同様に構成され、同様に作用効果が得られる。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
11    照明装置
22    反射装置
30    発光素子
33    第１の反射体
34    第２の反射体
35    放物反射面
37    拡散反射面
38    正反射面
Ａ    光照射方向
ｚ    光軸
【図１】
2020161245.tif 000003
【図２】
2020161245.tif 000004
【図３】
2020161245.tif 000005
【図４】
2020161245.tif 000006
【図５】
2020161245.tif 000007
【図６】
2020161245.tif 000008
【図７】
2020161245.tif 000009
【図８】
2020161245.tif 000010